(57)【要約】【課題】ステンレス製の棚板のような硬いコ字形柱体を、誰でもが人力で手軽に切断することができるようにする。切断箇所を綺麗に仕上げる。【解決手段】切断対象であるコ字形柱体を載置される載置台１０と、先端部を載置台１０に横軸３１を介して取り付けた可動刃３０とを備える。載置台１０の端面上端縁を固定刃先１３とする。載置台１０に、コ字形柱体４０の保形と位置決めとを行う溝形の柱体保持部２１を設ける。柱体保持部２１は、コ字形柱体４０の脚片部の内外面及び端面に当接する溝形受面２２と、コ字形柱体４０の柱本体部４１を受け止める面状受部２３とを有する。【選択図】　　　　図１
2004142065.tif 000002
【特許請求の範囲】
【請求項１】
端面上端縁によって形成された固定刃先から切断対象の切断除去する部分を突出させた状態で上記切断対象が載置される載置台と、この載置台の上記固定刃先に対して引き違い動作される可動刃先を下端縁に備えた可動刃とを有するコ字形柱体の切断装置において、
上記可動刃の一端部が横軸を介し上下揺動可能に上記載置台に連結されてその横軸を中心とする可動刃の揺動によってその可動刃先が上記固定刃先に対し傾斜角度を保って引き違い動作されるようになっていると共に、その可動刃の他端部に操作用把手部が具備され、
上記載置台に、上記コ字形柱体を嵌合することによってそのコ字形柱体の保形と位置決めとを行う溝形の柱体保持部が上記固定刃先を横切る形態で上記載置台の切断対象載置箇所に備わっていることを特徴とするコ字形柱体の切断装置。
【請求項２】
上記柱体保持部が、帯板状の柱本体部とこの柱本体部の幅方向両側に曲成された一対の脚片部とを備える上記コ字形柱体のそれぞれの脚片部の内外面及び端面を受け止める溝形受面と上記柱本体部の裏面を受け止める面状受部とを備え、その面状受部が上記固定刃先と平行である請求項１に記載したコ字形柱体の切断装置。
【請求項３】
上記コ字形柱体が嵌合された上記切断対象載置箇所で、上記溝形受面が上記コ字形柱体のそれぞれの脚片部の内外面及び端面に当接し、かつ、上記面状受部が上記柱本体部の裏面に当接するようになっている請求項２に記載したコ字形柱体の切断装置。
【発明の詳細な説明】
【０００１】
【発明の属する技術分野】
本発明は、コ字形柱体の切断装置、特に固定刃に対し可動刃を人力で引き違い動作させることにより、切断対象であるコ字形柱体の切断作業を行うようになっているコ字形柱体の切断装置に関する。
【０００２】
【従来の技術】
書架や物置棚などに用いられる鋼骨格構造を持つ棚に各段の棚板を掛け渡す場合に、その棚板の設置高さを容易に調節することができるようにするために、鋼骨格の縦柱に図５に示したようなコ字形の棚柱１を取付ねじ２などの止具を用いて別途固定し、その棚柱１の複数箇所に備わっている係合孔部３のうちから適切な高さに位置している係合孔部を選定してそこに棚板支持具を装着するということが行われる。この棚柱１には棚板やその上に載せられる物品の重さを支え得るだけの強度が要求され、かつ、長期間に亘って外観を美麗に保つことが要求されている。そのため、棚柱１は厚さ１ｍｍ程度、さらにはそれを越える厚さのステンレス鋼を曲げ加工することによって形成されている場合がある。また、この種の棚柱は定寸物として提供されることが多いため、入手後に上記縦柱に対する取付スペースの大きさに合わせて所望の長さに切断して使用することが要求されることもある。
【０００３】
そこで、従来は、棚柱１を切断する方法として、電動式回転砥石や金切り鋸などの切断に用い得る工具を使う方法が行われていた。
【０００４】
【発明が解決しようとする課題】
しかしながら、電動式回転砥石を使ってステンレス鋼でなる棚柱を切断すると、切断面が砥石との摩擦によって黒く焼けた状態になって外観が損なわれるという問題や、切断箇所にバリが生じて外観が損なわれるという問題があった。また、電源を必要とするので電源を確保できない場所での使用ができないだけでなく、切断作業中に騒音や火花を発生するので室内、特に夜間の室内では作業に騒音や危険が伴い、切断作業を行う場所と時間を選ぶ必要があり、電動回転式砥石の取扱いに熟練を要するという問題があり、誰でもが手軽に切断作業を行うことができるというものではなかった。
【０００５】
これに対し、金切り鋸を使ってステンレス鋼でなる棚柱を切断すると、１箇所の切断に要する時間や労力が多大になるという問題や、切断箇所にバリが生じて外観が損なわれるという問題があった。たとえば、厚さ１ｍｍ程度で幅が１５ｍｍ程度のステンレス製の棚柱の場合、１箇所を切断するのに１分近くも時間がかかり、しかも、その切断箇所には金切り鋸との擦れ跡がぎざぎざになって残ったりバリが生じたりすることが経験上判っている。
【０００６】
ところで、多数枚の用紙を重ね合わせた用紙束をまっすぐに裁断するための用紙切断装置として、端面上端縁によって形成された固定刃先から用紙束の切断除去する部分を突出させた状態で上記用紙束が載置される載置台と、この載置台の上記固定刃先に対して引き違い動作される可動刃先を下端縁に備えた可動刃とを有し、可動刃の先端部が横軸を介し上下揺動可能に載置台に連結され、かつ、その横軸を中心にして可動刃が人力で押し下げられると、可動刃が固定刃に対し傾斜角度を保って引き違い動作して用紙束が押し切られるようになっているものが周知である。この用紙切断装置で用紙束を切断すると、誰でもが手軽に比較的小さい力で用紙束の切断することができ、しかも、切断箇所が綺麗に仕上がるという長所を備えている。
【０００７】
そこで、この用紙切断装置をステンレス製の上記棚柱の切断に用いたところ、棚柱がステンレス製で非常に硬く、しかも、その棚柱が平板状ではなくコ字形という特殊形状を有しているために、切断箇所に形崩れを生じさせずに切断することが不可能であった。
【０００８】
本発明は以上の問題などに鑑みてなされたものであり、上記した用紙切断装置の構造を基本構造として、誰でもが手軽に熟練を要することなく人力で上記棚柱などのコ字形柱体を切断することができ、しかも、切断箇所が黒く焼けて外観が損なわれたり切断箇所にバリや形崩れを生じたりしにくいコ字形柱体の切断装置を提供することを目的とする。
【０００９】
【課題を解決するための手段】
本発明に係るコ字形柱体の切断装置は、端面上端縁によって形成された固定刃先から切断対象の切断除去する部分を突出させた状態で上記切断対象が載置される載置台と、この載置台の上記固定刃先に対して引き違い動作される可動刃先を下端縁に備えた可動刃とを有するコ字形柱体の切断装置において、上記可動刃の一端部が横軸を介し上下揺動可能に上記載置台に連結されてその横軸を中心とする可動刃の揺動によってその可動刃先が上記固定刃先に対し傾斜角度を保って引き違い動作されるようになっていると共に、その可動刃の他端部に操作用把手部が具備され、上記載置台に、上記コ字形柱体を嵌合することによってそのコ字形柱体の保形と位置決めとを行う溝形の柱体保持部が上記固定刃先を横切る形態で上記載置台の切断対象載置箇所に備わっている、というものである。
【００１０】
この切断装置によると、載置台の柱体保持部がコ字形柱体の保形と位置決めとを行うため、把手部を手で掴んで可動刃を押下げ揺動させることにより可動刃先を固定刃先に対して引き違い動作させると、載置台に載置された切断対象であるコ字形柱体が上記柱体保持部によって保形されかつ位置決めされた状態で押し切られる。こうして押し切られたコ字形柱体の切断箇所は、切断によって除去される部分で形崩れが起こるものの、載置台に載置されていた部分の切断箇所ではその部分が柱体保持部によって保形されかつ位置決めされているために切断箇所に型崩れが起こりにくい。この場合、コ字形柱体は既述した電動回転式砥石や金切り鋸を使う場合とは異なり、切断屑を生じずに押し切られるのであり、その意味では剪断又は引きちぎりによって切断されるということが云える。
【００１１】
本発明では、上記柱体保持部が、帯板状の柱本体部とこの柱本体部の幅方向両側に曲成された一対の脚片部とを備える上記コ字形柱体のそれぞれの脚片部の内外面及び端面を受け止める溝形受面と上記柱本体部の裏面を受け止める面状受部とを備え、その面状受部が上記固定刃先と平行であることが望ましい。
【００１２】
これによれば、柱体保持部の面状受部が固定刃先と平行であるため、押切り時には、可動刃先が最初の段階でコ字形柱体の柱本体部と脚片部とによって形作られているコーナ部に当り、そのコーナ部を起点として切断箇所を全体に向かって拡大させるようになるので、最初の段階で可動刃先が帯片状の柱本体の全面に当たるようにした場合に比べて、切断に要する力が格段に小さくて済むという利点がある。また、コ字形柱体の脚片部が柱体保持部の溝形受面に嵌合して保形されかつ位置決めされ、コ字形柱体の柱本体部が柱体保持部の面状受部によって保形されかつ位置決めされるため、既述したような切断屑を生じない押切りによって形成される切断箇所に形崩れやバリが生じにくくなってその切断箇所に美麗な外観が与えられる。
【００１３】
本発明では、上記コ字形柱体が嵌合された上記切断対象載置箇所で、上記溝形受面が上記コ字形柱体のそれぞれの脚片部の内外面及び端面に当接し、かつ、上記面状受部が上記柱本体部の裏面に当接するようになっていることが望ましく、これによれば、コ字形柱体の脚片部が柱体保持部の溝形受面によって動き代を形成せずに保形されかつ位置決めされ、併せて、コ字形柱体の帯片状の柱本体部が柱体保持部の面状受部によって動き代を形成せずに保形されかつ位置決めされるので、既述したような切断屑を生じない押切りによって形成される切断箇所に形崩れやバリが生じなくなるという作用が顕著に発揮されてその切断箇所が特に美麗に仕上がる。
【００１４】
【発明の実施の形態】
図１は本発明に係る切断装置の実施形態を示した側面図、図２は図１の要部を拡大した一部破断側面図、図３は図１の要部を拡大した一部破断平面図、図４は図１のＩＶ−ＩＶ線に沿う部分の格段断面図である。
【００１５】
図１のように、この切断装置は、載置台１０とこの載置台１０に取り付けられた可動刃３０とを備えている。
【００１６】
図例の載置台１０は鋼製であり、図３で類推できるように一定の幅を持って前後に長く形成されていて、その外側の端面（外端面）１１の上端縁が前後に線状に延びる固定刃先１３を形成し、しかも、その上端面は水平である。そして、図１又は図２のように、この載置台１０に、切断対象であるコ字形柱体４０を嵌合することによってそのコ字形柱体４０の保形と位置決めとを行う溝形の柱体保持部２１が具備されていて、この柱体保持部２１の形成箇所が切断対象であるコ字形柱体４０の載置箇所として定められている。図例の載置台１０では、柱体保持部２１が、上記固定刃先１３を直角に横切る形態でその固定刃先１３の前後２箇所に形成された溝形受面２２，２２と、それらの溝形受面２２，２２の相互間に位置する水平な上記上端面によって形成された面状受部２３とを備えている。
【００１７】
これに対し、可動刃３０は、その一端部が、上記した柱体保持部２１の前側近傍箇所で、載置台１０の外端面に横軸３１を介して上下に揺動可能に連結されていると共に、その他端部に操作用把手部３２を備えている。また、この可動刃３０は、図４のように下端面３４に微小角θの外上がり勾配を与えることによってその下端面内縁を可動刃先３３として形成してある。このため、可動刃３０を横軸３１を中心として下向きに揺動させると、その可動刃３０の揺動によって可動刃先３３が固定刃先１３に対し傾斜角度を保って引き違い動作される。
【００１８】
切断対象であるコ字形柱体４０としては、たとえば図５で説明した棚柱１を挙げることができる。切断対象としてのコ字形柱体４０は、図５の棚柱１に見られるように、帯板状の柱本体部４１とこの柱本体部４１の幅方向両側に曲成された一対の脚片部４２，４２とを備えている。
【００１９】
このような形状のコ字形柱体４０を切断する場合には、図１、図２又は図３に示したように、最初の段階で、コ字形柱体４０の切断によって除去する部分（切断除去する部分）だけを載置台１０の固定刃先１３から突出させた状態で、一対の脚片部４２，４２を柱体保持部２１の前後の溝形受面２２，２２にそれぞれ嵌合させ、かつ、帯片状の柱本体部４１を柱体保持部２１の面状受部２３に載架することにより、コ字形柱体４０の切断予定箇所を固定刃先１３の上に動かないように保持しておく。
【００２０】
次に、操作用把手部３２を手で掴んで可動刃３０を横軸３１を中心にして押し下げる。このようにすると、可動刃先３３が固定刃先１３に対し傾斜角度を保って引き違い動作することにより、コ字形柱体４０が柱体保持部２１によって保形されかつ位置決めされた状態で切断屑を生じずに押し切られる。この場合、梃子の原理により、操作用把手部３２に加える押下げ力が小さくても、可動刃先３３がコ字形柱体４０を押し付ける力がその何倍も大きくなるので、コ字形柱体４０が支障なく押し切られる。こうして押し切られたコ字形柱体４０の切断箇所は、切断によって除去される部分で形崩れが起こるものの、載置台１０に載置されていた部分の切断箇所ではその部分が柱体保持部２１によって保形されかつ位置決めされているために切断箇所に型崩れが起こりにくく、たとえ形崩れが起こったとしても軽微である。また、電動回転式砥石で切断した場合のような黒く焼けた状態が生じる余地がなく、また、金切り鋸を使う場合のように切断面がぎざぎざになることもない。
【００２１】
また、柱体保持部２１の面状受部２３が固定刃先１３と平行になっているため、押切り時には、可動刃先３３が最初の段階でコ字形柱体４０の柱本体部１５と脚片部１６とによって形作られているコーナ部１７に当り、そのコーナ部１７を起点として切断箇所を全体に向かって拡大させるようになるので、切断に要する力が格段に小さくて済む。
【００２２】
特に、この実施形態では、押切りに伴う形崩れやバリを生じないようにすることを意図して、コ字形柱体４０が嵌合された上記切断対象載置箇所で、溝形受面２２，２２がコ字形柱体４０のそれぞれの脚片部４２，４２の内外面及び端面に当接し、かつ、面状受部２３が柱本体部４１の裏面に当接するようにして、柱体保持部２１に載置されたコ字形柱体４０の脚片部４２や柱本体部４１の動き代が形成されないようにしてある。そのため、押切り時にコ字形柱体４０の脚片部４２，４２や柱本体部４１がまったく動かず、しかも、バリを生じさせるスペースも形成されないので、切断箇所が形崩れしたりバリを生じたりするという事態が皆無になる。この点に関し、脚片部４２と溝形受面２２との間に隙間が存在していると、その隙間の大きさによっては、押切り時にコ字形柱体４０が可動刃先３３による斜め方向の押圧力で脚片部４２が傾斜するような変形を起こしたりバリを生じたりすることが確認された。また、柱本体部４１と面状受部２３との間に隙間が存在していると、その隙間の大きさによっては柱本体部４１が変形したりバリを生じたりすることが確認された。しかし、上記のように、コ字形柱体４０の脚片部４２や柱本体部４１の動き代が形成されないようにしておくと、そのような変形やバリが生じないことを確認している。
【００２３】
この実施形態では、柱体保持部２１を載置台１０の前後方向１箇所だけに形成した事例を説明したけれども、この柱体保持部２１を載置台１０の前後方向複数箇所に形成し、それぞれの柱体保持部２１の溝形受面２２の深さや溝幅、面状受部２３の前後幅などを、サイズの異なるコ字形柱体４０の脚片部１６の高さや柱本体部１５の幅に合わせておくと、異なるサイズのコ字形柱体４０の切断を１台の切断装置を使って切断することができるようになる。
【００２４】
【発明の効果】
以上のように、本発明に係るコ字形柱体の切断装置によると、誰でもが手軽に熟練を要することなく人力でコ字形柱体を切断することができるようになり、しかも、切断箇所が黒く焼けて外観が損なわれたり切断箇所にバリや形崩れを生じたりしにくくなるという効果が奏される。したがって、図５で説明したステンレス製の棚柱を、電動回転式砥石や金切り鋸を使わずに、電源のない場所であっても、室内であっても、騒音や危険を伴わずに、また、切断屑などで室内を汚さずに、誰でもが手軽に切断することができるようになり、しかも、その切断箇所を綺麗に仕上げることが可能になる。
【図面の簡単な説明】
【図１】本発明に係る切断装置の実施形態を示した側面図である。
【図２】図１の要部を拡大した一部破断側面図である。
【図３】図１の要部を拡大した一部破断平面図である。
【図４】図１のＩＶ−ＩＶ線に沿う部分の格段断面図である。
【図５】棚板とその取付ねじを示した一部省略斜視図である。
【符号の説明】
１０　載置台
１３　固定刃先
２１　柱体保持部
２２　溝形受面
２３　面状受部
３０　可動刃
３１　横軸
３２　操作用把手部
３３　可動刃先
４０　コ字形柱体
４１　柱本体部
４２　脚片部
【図１】
2004142065.tif 000003
【図２】
2004142065.tif 000004
【図３】
2004142065.tif 000005
【図４】
2004142065.tif 000006
【図５】
2004142065.tif 000007